(57)【要約】【課題】脱選別穀装置において排塵処理室から選別部の横断流型排塵ファンへの排塵物の排出を円滑に行なう。【解決手段】扱室１１内には前後方向の軸心回りに回転する扱胴１２を設け、扱室１１下方の選別部２６には揺動選別棚２９を揺動自在に設け、扱室１１の左右一側に配設した二番処理室１６には前後方向の軸心回りに回転する処理歯付き二番処理胴１７を設け、この二番処理室１６の後方に配置した排塵処理室２２には前後方向の軸心回りに回転する処理刃付き排塵処理胴２３を設け、選別部２６における揺動選別棚２９の終端部上方で且つ排塵処理室２２の排塵口２２ｂ側方に横断流型の排塵ファン３３を配設する。そして、横断流型の排塵ファン３３における排塵ファン部３３ａ上部の前後側部及び左右側部をケース部３３ｂで覆って下部を開放状態とし、ケース部３３ｂにおける排塵処理室２２の排塵口２２ｂに対向する側壁３３ｂ１に排塵受入口３６を設ける。【選択図】図３
2007053954.tif 000002
【特許請求の範囲】
【請求項１】
扱室（１１）内に前後方向の軸心回りに回転する扱胴（１２）を設け、該扱室（１１）下方の選別部（２６）には揺動選別棚（２９）を揺動自在に設け、前記扱室（１１）の左右一側に配設した排塵処理室（２２）には前後方向の軸心回りに回転する処理歯付き排塵処理胴（２３）を設け、前記揺動選別棚（２９）の終端部上方で且つ前記排塵処理室（２２）の排塵口（２２ｂ）側方に横断流型の排塵ファン（３３）を配設し、前記横断流型の排塵ファン（３３）は排塵ファン部（３３ａ）と、該排塵ファン部（３３ａ）上部の前後及び左右側方を覆い下部を開放するケース部（３３ｂ）とを具備し、該ケース部（３３ｂ）における前記排塵処理室（２２）の排塵口（２２ｂ）に対向する側壁（３３ｂ１）に排塵受入口（３６）を開口したことを特徴とする脱穀選別装置。
【請求項２】
排塵ファン（３３）の左右一側を排塵処理室（２２）の左右他側に接近して配設したことを特徴とする請求項１記載の脱穀選別装置。
【請求項３】
横断流型の排塵ファン（３３）の排塵ファン部（３３ａ）を複数の排塵仕切板（３３ｄ，３３ｅ，３３ｆ）により左右方向に区分したことを特徴とする請求項１記載の脱穀選別装置。
【発明の詳細な説明】
【技術分野】
【０００１】
この発明は、コンバイン等の脱穀選別装置に関するものである。
【背景技術】
【０００２】
コンバインの脱穀選別装置において、扱室に前後方向の軸心回りに扱歯付きの扱胴を回転自在に設け、扱室下方の風選部には揺動選別棚を揺動自在に設け、扱室の左右一側には前後方向の軸心回りに回転する処理歯付き二番処理胴の内装されている二番処理室を設け、二番処理室の後方には処理刃付きの排塵処理胴を内装した排塵処理室を設け、揺動選別棚の終端部上方で且つ排塵処理室の排塵口側方に横断流型の排塵ファンを配設したものは公知である（特許文献１）。
【特許文献１】特開平２００２−２５３０４３号公報
【発明の開示】
【発明が解決しようとする課題】
【０００３】
前記従来技術にあっては、排塵処理室から脱穀処理物を選別部の横断流型排塵ファンに向けて排出するが、脱穀処理物の横断流排塵ファンへの送り込みが円滑でなく、横断流排塵ファンの側方で脱穀処理物が停滞するような不具合が発生することがあった。そこで、この発明はこのような不具合を解決しようとするものである。
【課題を解決するための手段】
【０００４】
請求項１の発明は、扱室（１１）内に前後方向の軸心回りに回転する扱胴（１２）を設け、該扱室（１１）下方の選別部（２６）には揺動選別棚（２９）を揺動自在に設け、前記扱室（１１）の左右一側に配設した排塵処理室（２２）には前後方向の軸心回りに回転する処理歯付き排塵処理胴（２３）を設け、前記揺動選別棚（２９）の終端部上方で且つ前記排塵処理室（２２）の排塵口（２２ｂ）側方に横断流型の排塵ファン（３３）を配設し、前記横断流型の排塵ファン（３３）は排塵ファン部（３３ａ）と、該排塵ファン部（３３ａ）上部の前後及び左右側方を覆い下部を開放するケース部（３３ｂ）とを具備し、該ケース部（３３ｂ）における前記排塵処理室（２２）の排塵口（２２ｂ）に対向する側壁（３３ｂ１）に排塵受入口（３６）を開口したことを特徴とする脱穀選別装置とする。
【０００５】
前記構成によると、扱胴（１２）で脱穀された脱穀物は扱室（１１）の終端側から排塵処理室（２２）の始端側に供給され排塵処理胴（２３）で脱穀処理されながら終端側に送られ、排塵処理室（２２）の排塵口（２２ｂ）から横断流型の排塵ファン（３３）における側壁（３３ｂ１）の排塵受入口（３６）を経て排塵ファン（３３）に供給され、軽い藁屑類は排塵ファン（３３）で吸引されて機外に排出され、重い藁屑類や穀粒は下方の揺動選別棚（２９）に落下して揺動選別される。
【０００６】
請求項２の発明は、排塵ファン（３３）の左右一側を排塵処理室（２２）の左右他側に接近して配設したことを特徴とする請求項１記載の脱穀選別装置とする。
前記構成によると、請求項１の発明の前記作用に加えて、排塵処理室（２２）の排塵口（２２ｂ）から脱穀処理物が左右に接近して配設されている横断流型の排塵ファン（３３）における側壁（３３ｂ１）部の排塵受入口（３６）を経て排塵ファン（３３）に供給される。
【０００７】
請求項３の発明は、横断流型の排塵ファン（３３）の排塵ファン部（３３ａ）を複数の排塵仕切板（３３ｄ，３３ｅ，３３ｆ）により左右方向に区分したことを特徴とする請求項１記載の脱穀選別装置とする。
【０００８】
前記構成によると、請求項１の発明の前記作用に加えて、横断流型の排塵ファン（３３）における複数の排塵仕切板（３３ｄ，３３ｅ，３３ｆ）により左右方向に区分されている排塵ファン部（３３ａ）により、揺動選別棚（２９）上の被選別物を左右方向均等に吸引排出することができる。
【発明の効果】
【０００９】
請求項１の発明は、排塵処理室（２２）の脱穀処理物は排塵口（２２ｂ）からケース部（３３ｂ）の側壁（３３ｂ１）の排塵受入口（３６）を経て排塵ファン（３３）に円滑に供給され、軽い藁屑類は排塵ファン（３３）により機外に円滑に排出されるので、下方に落下する重い藁屑類や穀粒の拡散が促進され、揺動選別棚（２９）での選別性能が向上し穀粒のロスを軽減することがで、また、排塵処理室（２２）の排塵口（２２ｂ）と排塵ファン（３３）のケース部（３３ｂ）との間における脱穀処理物の詰まりを少なくし、排塵処理を円滑にすることができる。
【００１０】
請求項２の発明は、請求項１の発明の前記効果に加えて、排塵ファン（３３）を排塵処理室（２２）に接近させて配設することにより、排塵ファン（３３）の左右幅を広くして選別性能の向上を図ったり、あるいは、脱穀選別装置のコンパクト化を図ることができる。
【００１１】
請求項３の発明は、請求項１の発明の前記効果に加えて、横断流型の排塵ファン（３３）の排塵ファン部（３３ａ）を複数の排塵仕切板（３３ｄ，３３ｅ，３３ｆ）で左右方向に区分することにより、揺動選別棚（２９）の被選別物を左右均等に吸引排塵し選別精度を高めることができる。
【発明を実施するための最良の形態】
【００１２】
以下、図面に示すこの発明の実施例の形態について説明する。
図１にはコンバイン１の全体側面図が図示されている。コンバイン１の走行車台２の下方には、土壌面を走行する左右一対の走行クローラ３，３を配設し、走行車台２上には、操縦席４を右側前部に、脱穀部５を左側前部に、グレンタンク６を操縦席４の後方に、排稾処理装置７を脱穀部５及びグレンタンク６の後方にそれぞれ配設している。脱穀部５の前方には、植立穀稈を引越しながら刈り取り後方の脱穀部５に向けて搬送する刈取搬送部８を昇降自在に設けている。
【００１３】
次に、図２〜図９に基づき脱穀部５の構成について説明する。図２には脱穀部５の右側面図、図３には脱穀部５の左側面図、図４には脱穀部５の平面図、図５には脱穀部５後側部の切断正面図、図６には脱穀部５後側部の切断背面図、図７には脱穀部５後側部の切断平面図、図８には排塵ファンの斜視図、図９には排塵ファンの左側面図が、それぞれ図示されている。
【００１４】
扱室１１内には前後方向の扱胴軸１２ａを介して扱胴１２を軸架し、扱胴１２の周面には多数の扱歯１３，…を取り付け、扱胴１２の下部外周を受網１４で覆っている。扱室１１の右側方には二番処理室１６を設け、二番処理室１６には前後方向の二番処理胴軸１７ａを介して二番処理胴１７を軸架し、二番処理胴１７の外周面に多数の二番処理歯１８，…を取り付け、二番処理胴１７の扱室１１に近い側を下側に向けて回転するように構成している。扱室１１の左側方には脱穀用穀稈を移送するフィードチエン１９を設け、フィードチエン１９の搬送下手側には排藁搬送装置２１を設けて脱穀済み排藁を後方の排稾処理装置７に搬送するように構成している。
【００１５】
また、前記二番処理室１６の後方に排塵処理室２２を設け、排塵処理室２２には前後方向の排塵処理胴軸２３ａを介して排塵処理胴２３を軸架し、扱室１１の後端右側部と排塵処理室２２の前端左側部との間を連通口を介して連通し、扱室１１から送り込まれた藁屑類を排塵処理胴２３の処理歯２３ｂ，…により後側に送りながら脱穀処理するように構成している。
【００１６】
また、扱室１１の下方から後方にかけて選別部２６を設けている。選別部２６の前側部の唐箕２７から選別風路２８の後側に向けて選別風を送り、選別風路２８には前後方向に往復揺動する揺動選別棚２９を設けている。揺動選別棚２９の上部側には前側部から後側部に向けてグレンパン２９ａ、グレンシーブ２９ｂ、チャフシーブ２９ｃ及びストローラック２９ｄからなる粗選別部を構成し、揺動選別棚２９の下部側には網体からなるグレンシーブ２９ｅからなる精選別部を構成し、扱室１１、二番処理室１６及び排塵処理室２２からの脱穀処理物を受けて後側に揺動移送しながら比重選別するように構成している。
【００１７】
選別風路２８の底部前側部に選別一番穀粒を受ける一番ラセン３１ａ付きの一番受樋３１を設け、底部後側部に選別二番物を受ける二番ラセン３２ａ付きの二番受樋３２を設け、選別風路２８の後側終端部で且つ揺動選別棚２９の終端側上方には横断流ファン型の排塵ファン３３を設け、揺動選別棚２９で選別され後側に送られた軽い藁屑類、及び、排塵処理室２２から排出された脱穀処理物を機外に吸引排出するように構成している。なお、３４は一番揚穀機、３５は二番揚穀機である。
【００１８】
次に、排塵処理室２２、排塵ファン３３及び揺動選別棚２９の関連構成について説明する。
排塵処理室２２における選別部２６側に傍出する右側部分を受網２２ａで覆い、排塵処理室２２の後側（終端側）に選別部２６側に向けて開口する排塵口２２ｂを設けている。また、排塵ファン３３を選別風路２８の後側終端部で、且つ、揺動選別棚２９の終端側上方に配設し、排塵ファン３３の右側端部を排塵処理室２２の排塵口２２ｂに接近させて配設している。
【００１９】
この排塵ファン３３は横断流ファン型で次のように構成している。左右方向の軸心回りに回転する排塵ファン部３３ａ，…と、排塵ファン３３ａの上部の前後左右側方を覆い下方を開口しているケース部３３ｂと、排塵ファン軸３３ｃに左右方向に所定間隔隔てて取り付けられている複数の左側排塵仕切板３３ｄ、中央排塵仕切板３３ｅ、右側排塵仕切板３３ｆと、これらの排塵仕切板３３ｄ，３３ｅ，３３ｆの放射方向中間部に左右方向に沿うように取り付けているファン板３３ｇ，…と、後部排塵口３３ｈを形成する下部案内板３３ｉ及び上部案内板３３ｊ等により構成し、軽い藁屑類をケース部３３ｂの下部から吸い込み後側の排塵口３３ｈから排出するように構成し、また、前記左側排塵仕切板３３ｄ及び右側排塵仕切板３３ｆの左右両側から少し外側に突出するようにファン板３３ｇ，…を取り付けている。
【００２０】
また、ケース部３３ｂの右側壁３３ｂ１に排塵受入口３６を構成している。この排塵受入口３６は、図３、図６及び図９に示すように、排塵ファン部３３ａの軸心３３ｃから下方で後寄りにファン板３３ｇ，…の回転方向に沿うように円弧状で且つ、ファン板３３ｇ，…の上方に位置するように構成している。
【００２１】
前記構成によると、図６に示すように、排塵処理胴２３の処理歯２３ｂ，…が背面視で反時計方向に回転すと、脱穀処理物は後部の排塵口２２ｂから排塵ファン３３におけるケース部３３ｂの右側壁３３ｂ１に向けて掻き出され、脱穀処理物の一部は排塵受入口３６からケース部３３ｂ内に供給される。そして、図９で反時計方向に回転する排塵ファン部３３ａのファン板３３ｇ，…の内周側端部で受けられ上方に回転しながら吸引篩い選別され、重い藁屑類や穀粒は下方の揺動選別棚２９上に落下して揺動選別され、軽い藁屑類はファン板３３ｇ，…に支持されながら上方に回転し、上部案内板３３ｊ及び下部案内板３３ｉに案内されて後部排塵口３３ｈから機外に排出される。また、排塵処理室２２からの残りの脱穀処理物は右側壁３３ｂ１の右側を通って揺動選別棚２９のストローラック２９ｄ上に供給され、軽い藁屑類は排塵ファン３３により吸引排塵され、重い藁屑類や穀粒は揺動選別棚２９のストローラック２９ｄに落下し揺動選別される。
【００２２】
しかして、排塵処理室２２の排塵口２２ｂから排塵ファン３３に向けて掻き出された脱穀処理物は、排塵ファン３３の右側壁３３ｂ１の排塵受入口３６からケース部３３ｂ内に取り込まれ、排塵ファン３３における右側排塵仕切板３３ｆの右側に突出しているファン板３３ｇ，…より吸引篩い選別され、軽い藁屑類は後側の後部排塵口３３ｈから機外に排出され、また、下方に落下する重い藁屑類や穀粒の拡散が促進されて揺動選別棚２９の選別が良好になり、穀粒ロスを軽減することができる。
【００２３】
また、右側排塵仕切板３３ｆを無孔の板体で構成しているので、排塵処理室２２からの受入れ脱穀処理物がケース部３３ｂの中央寄りへの流れが阻止され、中央寄りの吸引排塵作用に悪影響を及ぼすこともない。
【００２４】
また、排塵処理室２２の排塵口２２ｂから掻き出される脱穀処理物の内、排塵ファン３３の右側壁３３ｂ１の外側を通って落下するものが減少するので、揺動選別棚２９における排塵処理室２２の排塵口２２ｂ下方部位の脱穀処理物の詰まりを少なくし、円滑に選別することができる。
【００２５】
また、排塵ファン３３の右側壁３３ｂ１に排塵受入口３６を構成したので、排塵ファン３３の右側端部を排塵処理室２２の左側部に接近させて配設することができ、排塵ファン３３を左右幅広に構成することとができて選別性能の向上を図ったり、あるいは、選別部２６のコンパクト化を図ることができる。
【００２６】
また、左側排塵仕切板３３ｄ，中央排塵仕切板３３ｅ及び右側排塵仕切板３３ｆにファン板３３ｇ，…を取り付けて、揺動選別棚２９上の被選別物の吸塵部位を左右方向に区分しているので、揺動選別棚２９上の被選別物を左右均等に吸引排塵することができる。
【００２７】
また、左側排塵仕切板３３ｄ及び右側排塵仕切板３３ｆの左右外側には少し突出するようにファン板３３ｇ，…を取り付け、これらの排塵仕切板３３ｄ，３３ｅ，３３ｆを無孔の板体で構成したで、排塵ファン３３を強固に構成することができる。
【００２８】
また、ケース部３３ｂの右側壁３３ｂ１に排塵受入口３６を開口し、図９に示すように、この排塵受入口３６を排塵ファン部３３ａの軸心から下方寄りで且つ後寄りにファン板３３ｇ，…の回転方向に沿うように円弧状で、且つ、ファン板３３ｇ，…の上方に位置するように構成すると共に、ファン板３３ｇ，…を反時計方向に回転するように構成し、排塵処理室２２の後側端部に設けた排塵口２２ｂを排塵ファン３３の排塵受入口３６に向けて開口し、排塵処理胴２３の後端部を排塵処理室２２の排塵口２２ｂに臨むように後方に延長して軸架している。
【００２９】
前記構成によると、排塵受入口３６に送りこまれた脱穀処理物は反時計方向に回転するファン板３３ｇ，…により捕捉されながら吸引篩い選別され、軽い藁屑類と重い藁屑類や穀粒との上下方向の分離が促進されて塊状での排出を抑制し、穀粒の回収率を高めることができる。また、排塵処理室２２の排塵処理胴２３を後側端部まで延長軸架することになり、排塵処理室２２の脱穀処理能力を高めることができる。
【００３０】
また、図３及び図９に示すように、側面視でケース部３３ｂの右側壁３３ｂ１の下端縁を前側部が高く後側ほど順次後下がり状に傾斜させて構成し、この右側壁３３ｂ１の下端縁よりも排塵ファン３３における右側排塵仕切板３３ｆの下端縁部及びファン板３３ｇ，…の下端縁部を下方に突出するように構成している。前記構成によると、排塵処理室２２の中途部下側から排出される脱穀処理物を排塵ファン３３内に円滑に取り込むことができ、ケース部３３ｂの右側壁３３ｂ１部分での脱穀処理物の停滞を防止することができる。
【００３１】
また、図１０に示すように、側面視でケース部３３ｂの右側壁３３ｂ１下部を排塵ファン３３の軸心３３ｃ近傍まで切除した下部開口部３８を構成し、排塵ファン３３における右側排塵仕切板３３ｆの下部及びファン板３３ｇ，…の下部を広い範囲で下方に突出するように構成してもよい。前記構成によると、排塵処理室２２から排出される脱穀処理物を前後方向の広い範囲で排塵ファン３３内に取り込むことができ、ケース部３３ｂの右側壁３３ｂ１部分での脱穀処理物の停滞を防止することができる。
【００３２】
また、図６に示すように、背面視でケース部３３ｂの右側壁３３ｂ１下部を排塵ファン３３の軸心近傍まで切除した下部開口部３８を構成したり、あるいは、右側壁３３ｂ１に排塵受入口３６を構成したものにおいて、排塵ファン３３の軸心３３ｃよりも排塵処理室２２の排塵処理胴２３の軸心を下方に配設し、排塵処理室２２の排塵口２２ｂから排塵ファン３３の右側下部及び揺動選別棚２６の右側部に向けて脱穀処理物を掻き出すように構成してもよい。前記構成によると、排塵処理胴２３から排出される脱穀処理物を排塵ファン３３の下部及び揺動選別棚２９の上部右側に円滑に引き継ぐことができ、また、排塵ファン３３の右側壁３３ｂ１と排塵処理室２２の左側の間に下側ほど広い空間が形成され、脱穀処理物の停滞を確実に防止することができる。
【００３３】
また、図１１に示すように、右側排塵仕切板３３ｆの中心部に開口部３７，…を設け、排塵処理室２２からの脱穀処理物が排塵受入口３６及び開口部３７，…を経て排塵ファン３３の左右方向中央寄りに流入するように構成してもよい。このように構成することにより、排塵ファン３３の中央部では排塵処理室２２からの脱穀処理物及び揺動選別棚２９からの被選別物を吸引排塵することができ、排塵ファン３３の右側部での脱穀処理物が多くても、左右の吸引排塵作用を分散し均等化することができる。
【００３４】
また、図６及び図１０に示すように、後部排塵口３３ｈを形成する下部案内板３３ｉは後下がり傾斜に構成されて、下部案内板３３ｉの前側上端部は右側壁３３ｂ１に形成されている下部開口部３８より下方に位置し、右側壁３３ｂ１の後側端部の下方に垂下した部分に下部案内板３３ｉの右側端部を固着し、右側壁３３ｂ１と一体的なケース部３３ｂの右側端部から取付板３９を右側に延出し、脱穀部５の右側板４１に固着している。
【００３５】
前記構成によると、排塵ファン３３におけるケース部３３ｂの右側壁３３ｂ１を脱穀部５の右側板４１に連結しているので、右側壁３３ｂ１に大きな下部開口部３８を形成したにもかかわらずケース部３３ｂの強度を確保することができる。また、下部案内板３３ｉの上方には上部案内板３３ｊが位置し排塵物を後側に案内するので、排塵物が前側に逆流するようなこともなく円滑に後方に排出することができる。
【００３６】
また、図６及び図１０に示すように、排塵ファン３３におけるケース部３３ｂの右側壁３３ｂ１に脱穀処理物を受け入れる下部開口部３８を形成し、排塵処理室２２の排塵処理胴２３の軸心よりも下方に位置するように下部開口部３８を構成している。前記構成により、排塵処理室２２から排塵ファン３３への脱穀処理物の送り込みが円滑化し、下方の揺動選別棚２９への脱穀処理物の落下を低減し、揺動選別棚２９での選別能率を高めることができる。
【００３７】
また、排塵ファン３３の排塵ファン部３３ａをケース部３３ｂで覆うにあたり、排塵ファン部３３ａの上部をケース部３３ｂで接近して覆い、排塵ファン部３３ａの前側部及び後側部を前後に延出して排塵ファン部３３ａから前後に離れて覆うようにしている。従って、排塵ファン部３３ａの下部側を回転している部分により揺動選別棚２９上の被選別物に対する吸引篩い作用を抑制し、排塵ファン３３により排塵処理室２２からの脱穀処理物の吸引篩い選別をゆとりをもって行なうことができる。
【００３８】
また、図１２及び図１３に示すように、排塵ファン３３におけるケース部３３ｂの右側壁３３ｂ１下端部に、右側排塵仕切板３３ｆから右側寄りのファン板３３ｇ，…の下方に対向するように円弧状の落下防止板４２を取り付け、落下防止板４２の中央寄り端部を排塵ファン部３３ａの右側排塵仕切板３３ｆよりもやや中央寄りで、且つ、右側排塵仕切板３３ｆの下端近傍に延出するように構成してもよい。前記構成によると、排塵処理室２２からの脱穀処理物を排塵ファン部３３ａにおける右側排塵仕切板３３ｆの右側部分で確実に補足し、下方の揺動選別棚２９への落下を抑制しながら、脱穀処理物の吸引篩い作用を促進することができる。
【００３９】
次に、図１４〜図１８により排塵ファン３３の他の実施例について説明する。
排塵処理室２２の後側部に選別部２６側に向けて開口する排塵口２２ｂを設け、排塵ファン３３を選別風路２８の後側終端部で且つ揺動選別棚２９の終端側上方で且つ排塵処理室２２に接近して配設している。この排塵ファン３３は横断流ファン部及び遠心式プレートファン部を並設して構成している。即ち、排塵ファン軸３３ｃの左側部に幅広の排塵ファン部３３ａ，…を設け、排塵ファン軸３３ｃの右側端部に幅狭の遠心式プレートファン部４６を設けている。排塵ファン軸３３ｃの左側端部に左側排塵仕切板３３ｄを取り付け、排塵ファン部３３ａと遠心式プレートファン４６の間に右側排塵仕切板３３ｆを取り付け、この右側排塵仕切板３３ｆの右側面に遠心式プレートファン４６を配設し、これら排塵ファン部３３ａ及び遠心式プレートファン４６の上部を下方を開口したケース部３３ｂで覆っている。また、遠心式プレートファン４６の部分だけに円弧状の下部ケース
部３３ｙを配して全周を覆い、後部排塵口３３ｈ部分だけを開放している。
【００４０】
また、排塵ファン部３３ａは、前記実施例と同様に、排塵ファン軸３３ｃの左右両端に左側排塵仕切板３３ｄ及び右側排塵仕切板３３ｆを取り付け、これらの排塵仕切板３３ｄ，３３ｆの放射方向中間部に左右方向に沿うようにファン板３３ｇ，…を取り付け、後部排塵口３３ｈを形成する下部案内板３３ｉ及び上部案内板３３ｊとにより構成し、ファン板３３ｇ，…の外周側端縁より左側排塵仕切板３３ｄ及び右側排塵仕切板３３ｆの外周側端縁が少し少し突出するように構成している。また、遠心式プレートファン４６を例えば複数の４枚の板体で構成し、遠心式プレートファン４６の外周端縁と右側排塵仕切板３３ｆの外周側端縁とを略揃えた構成としている。
【００４１】
前記構成によると、排塵ファン部３３ａにより揺動選別棚２９の終端側の軽い排塵物を吸引篩い選別して後方に排出し、遠心式プレートファン４６により排塵処理室２２からの排塵物を吸引篩い選別しながら後方に排出する。しかして、排塵処理室２２からの排塵物に長い藁屑類が含まれていても、遠心式プレートファン４６への巻き付きを防止しながら円滑に排出することができ、また、排塵ファン部３３ａと遠心式プレートファン４６とを同一軸芯回りの構成としても、吸塵処理能力を変化させることができ排塵処理を円滑にすることができる。
【００４２】
また、排塵ファン部３３ａの外径よりも遠心式プレートファン４６の外径を大きく構成し、遠心式プレートファン４６の内側端部を右側排塵仕切板３３ｆの外側面に接合固着している。前記構成により、排塵処理室２２から湿気の多い藁屑類が排出されても、遠心式プレートファン４６に付着しにくく円滑に吸塵排出することができ、また、遠心式プレートファン４６の外径を大きくしても強度を保つことができる。なお、遠心式プレートファン４６の部分を横断流ファンのファン板３３ｇ，…で構成すると、ファン板３３ｇの回転方向上手側端部に湿気の多い藁屑類が付着するという不具合が発生するが、このような不具合を解消することができる。
【００４３】
また、排塵ファン部３３ａ及び遠心式プレートファン４６の上側半分をケース部３３ｂにより覆い、ケース部３３ｂの右側壁３３ｂ１に排塵受入口３６を構成し、排塵処理室２２からの脱穀処理物を排塵受入口３６から遠心式プレートファン４６内に受け入れるように構成している。そして、遠心式プレートファン４６の後側部分を上側に向けて回転するように構成し、排塵受入口３６を図１７に示すように、排塵ファン部３３ａの軸心下方から後寄りに円弧状に構成している。前記構成によると、排塵処理室２２から遠心式プレートファン４６へ脱穀処理物を円滑に受入れでき排塵処理を円滑に行なうことができる。
【００４４】
次に、図１９及び図２０に基づき排塵処理室２２の排塵処理胴２３の他の実施例について説明する。
排塵処理胴２３を前側部排塵処理胴２３ｃと後側部排塵処理胴２３ｄとに分割構成し、排塵処理胴軸２３ａ回りに互いに逆方向に回転可能に構成し、扱室１１の後端右側部と排塵処理室２２の前端左側部との間を連通口を介して連通し、扱室１１から排塵処理室２２に送り込まれた藁屑類を前側部排塵処理胴２３ｃの前側端部のラセン板２３ｅより取り込み、処理歯２３ｂ，…で脱穀処理しながら後側に送り、後側部排塵処理胴２３ｄの後側端部の排塵板２３ｆにより脱穀処理物を排塵ファン３３に向けて掻き出すように構成している。
【００４５】
また、二番処理胴１７の二番処理胴軸１７ａと排塵処理胴２３の排塵処理胴軸２３ａを同一軸芯状に軸架して、二番処理胴１７の後側端部と前側部排塵処理胴２３ｃの前側端部とを一体的に連結している。そして、二番処理胴１７の前方に二番処理胴ギヤボックス４９を配設し、エンジン（図示省略）からの動力をベルト伝動装置４７、排塵プーリ４８、二番処理胴ギヤボックス４９を経由してに伝達し、二番処理胴１７及び前側部排塵処理胴２３ｃの扱室１１側部分を下側に向けて（扱室１２と同じ方向）回転するように構成している。
【００４６】
また、後側部排塵処理胴２３ｄの後側端部に第二排塵プーリ５１を取り付け、エンジン（図示省略）からの動力を第二ベルト伝動装置５２，５２を経由して第二排塵プーリ５１に伝達し、後側部排塵処理胴２３ｄの排塵ファン３３側部分を上側に向けて回転するように構成し、排塵ファン３３の軸心よりも排塵処理胴２３の軸心を下方に配設している。
【００４７】
前記構成によると、前側部排塵処理胴２３ｃは扱胴１２と同じ方向に回転するので、扱胴１１から排塵処理室２２への脱穀物の受渡しを円滑にし、また、前側部排塵処理胴２３ｃによる脱穀処理物を揺動選別棚２９に向けて下方へ排出するので、排塵ファン３３の前方で舞い上がるようなこともなく、穀粒の排塵ファン３３への吸引を抑制し穀粒ロスを少なくすることができる。
【００４８】
また、後側部排塵処理胴２３ｄから斜め左上りに掻き出される脱穀処理物をケース部３３ｂの排塵受入口３６から排塵ファン３３に円滑に送り込むことができる。
また、前記第二ベルト伝動装置５２に有効径を拡縮する無段変速プーリ５２ａを配設し、後側部排塵処理胴２３ｄの回転数を変速可能に構成している。このように、後側部排塵処理胴２３ｄの回転数を変速することにより、種々の脱穀処理物を排塵ファン３３に適正に送り込むことができ穀粒ロスを少なくし排塵処理精度を高めることができる。
【００４９】
また、前側部排塵処理胴２３ｃの後部に後側部排塵処理胴２３ｄを配設するにあたり、排塵処理胴軸２３ａの前側部に前側部排塵処理胴２３ｃを一体的に取り付け、排塵処理胴軸２３ａの後側部に軸受５６，５６を介して後側部排塵処理胴２３ｄを回転自在に軸架し、前側部排塵処理胴２３ｃの後側端部から円筒状の覆い板５７を延出して後側部排塵処理胴２３ｄの前側端部全周を被覆している。また、後側部排塵処理胴２３ｄの前後方向長さと排塵処理室２２の排塵口２２ｂの前後方向長さを略同じに構成している。前記構成によると、排塵処理室２２の脱穀処理物を排塵口２２ｂから円滑に排塵ファン３３側へ掻き出すことができる。
【００５０】
また、図２１に示すように、排塵処理胴２３を前側部排塵処理胴２３ｃ及び後側部排塵処理胴２３ｄに前記実施例と同様に分割構成し、排塵処理室２２の排塵口２２ｂの左側側方に横断流ファン型の排塵ファン３３を配設し、排塵処理室２２の排塵口２２ｂと排塵ファン３３のケース部３３ｂの排塵受入口３７とを対向するように構成してもよい。このように構成することにより、後側部排塵処理胴２３ｄから斜め左上りに掻き出される脱穀処理物をケース部３３ｂの排塵受入口３６から排塵ファン３３に円滑に送り込むことができる。
【図面の簡単な説明】
【００５１】
【図１】コンバインの全体側面図
【図２】脱穀部の左切断側面図
【図３】脱穀部の右切断側面図
【図４】脱穀部の切断平面図
【図５】脱穀部後側部の切断正面図
【図６】脱穀部後側部の切断背面図
【図７】排塵ファンの切断平面図
【図８】排塵ファンの斜視図
【図９】排塵ファンの左側面図
【図１０】排塵ファンの左側面図
【図１１】排塵ファンの斜視図
【図１２】排塵ファンの左側面図
【図１３】脱穀部の平面図
【図１４】脱穀部の左側面図
【図１５】脱穀部の平面図
【図１６】脱穀部後部の切断背面図
【図１７】排塵ファンの側面図
【図１８】排塵ファンの斜視図
【図１９】脱穀部の左切断側面図
【図２０】排塵処理胴の一部切断した平面図
【図２１】脱穀部の切断平面図
【符号の説明】
【００５２】
１      コンバイン
２      走行車台
３      走行クローラ
５      脱穀部
１１      扱室
１２      扱胴１２
１６      二番処理室
１７      二番処理胴
２２      排塵処理室
２２ｂ    排塵口
２３      排塵処理胴
２６      選別部
２８      選別風路
２９      揺動選別棚
２９      揺動選別棚
３３      横断流型の排塵ファン
３３ａ    排塵ファン部
３３ｂ    ケース部
２２ｂ    排塵口
３３ｂ１    側壁
３３ｄ，３３ｅ，３３ｆ    排塵仕切板
３６    排塵受入口
【図１】
2007053954.tif 000003
【図２】
2007053954.tif 000004
【図３】
2007053954.tif 000005
【図４】
2007053954.tif 000006
【図５】
2007053954.tif 000007
【図６】
2007053954.tif 000008
【図７】
2007053954.tif 000009
【図８】
2007053954.tif 000010
【図９】
2007053954.tif 000011
【図１０】
2007053954.tif 000012
【図１１】
2007053954.tif 000013
【図１２】
2007053954.tif 000014
【図１３】
2007053954.tif 000015
【図１４】
2007053954.tif 000016
【図１５】
2007053954.tif 000017
【図１６】
2007053954.tif 000018
【図１７】
2007053954.tif 000019
【図１８】
2007053954.tif 000020
【図１９】
2007053954.tif 000021
【図２０】
2007053954.tif 000022
【図２１】
2007053954.tif 000023